(57)【要約】【課題】電池の消耗を抑えながらデータの送信を確認することができる撮像装置を提供する。【解決手段】被写体を撮像して画像データを取得する撮像部１１０と、被写体を撮像して画像データを無線通信で送信し、無線通信における電波状態を検出する無線装置１０７と、液晶モニタ１０４と、液晶モニタ１０４に表示される表示画面の輝度を制御する制御回路１０１とを備え、制御回路１０１は、無線装置１０７によって画像データを送信しているとき、無線装置１０７によって検出した電波状態に基づいて表示画面の輝度を制御する。【選択図】図２
2009049603.tif 000002
【特許請求の範囲】
【請求項１】
被写体を撮像して画像情報を取得する撮像手段と、
前記撮像手段によって取得した画像情報を無線通信で送信する送信手段と、
前記無線通信における電波状態を検出する電波状態検出手段と、
表示モニタと、
前記表示モニタに表示される表示画面の輝度を制御する輝度制御手段とを備え、
前記輝度制御手段は、前記送信手段によって画像情報を送信しているとき、前記電波状態検出手段によって検出した電波状態に基づいて前記表示画面の輝度を下げることを特徴とする撮像装置。
【請求項２】
請求項１に記載の撮像装置において、
前記輝度制御手段は、前記表示画面に表示されている画像が撮影画像である場合、前記電波状態検出手段によって検出した電波状態に基づいて前記表示画面の輝度を下げないことを特徴とする撮像装置。
【請求項３】
請求項２に記載の撮像装置において、
前記撮像手段で撮像した画像をリアルタイムで前記表示モニタに表示するスルー画表示手段と、
記録媒体から読み出した画像情報を再生して前記表示モニタに表示する再生手段とを備え、
前記撮影画像は、前記スルー画表示手段によって表示された画像、または前記再生手段によって表示された画像であることを特徴とする撮像装置。
【請求項４】
請求項３に記載の撮像装置において、
前記撮像装置の設定に係る設定メニューを前記表示モニタに表示する設定メニュー表示手段を備え、
前記輝度制御手段は、前記表示画面に表示されている画像が前記設定メニューの場合、前記電波状態検出手段によって検出した電波状態に基づいて前記表示画面の輝度を下げることを特徴とする撮像装置。
【請求項５】
請求項１に記載の撮像装置において、
前記撮像手段で撮像した画像をリアルタイムで前記表示モニタに表示するスルー画表示手段と、
記録媒体から読み出した画像情報を再生して前記表示モニタに表示する再生手段と、
前記撮像装置の設定に係る設定メニューを前記表示モニタに表示する設定メニュー表示手段とを備え、
前記輝度制御手段によって制御される前記表示画面の最低輝度は、前記表示画面に表示されている画像が前記設定メニューである場合に比べて、前記表示画面に表示されている画像が前記スルー画表示手段によって表示された画像、または前記再生手段によって表示された画像である場合の方が高いことを特徴とする撮像装置。
【請求項６】
請求項１に記載の撮像装置において、
記録媒体から読み出した画像情報を再生して前記表示モニタに表示する再生手段と、
前記撮像装置の設定に係る設定メニューを前記表示モニタに表示する設定メニュー表示手段とを備え、
前記輝度制御手段によって制御される前記表示画面の最低輝度は、前記表示画面に表示されている画像が前記設定メニューである場合に比べて、前記表示画面に表示されている画像が前記再生手段によって表示された画像である場合の方が高いことを特徴とする撮像装置。
【発明の詳細な説明】
【技術分野】
【０００１】
本発明は、無線通信機能を有する撮像装置に関する。
【背景技術】
【０００２】
電池消費を抑えるため、無線ＬＡＮモジュール部への電力供給を続けて動作させたまま、液晶ディスプレイの電力供給を停止してその動作を停止させる電子カメラが従来技術として知られている（たとえば、特許文献１参照）。
【特許文献１】特開２００７−２００４１号公報
【発明の開示】
【発明が解決しようとする課題】
【０００３】
特許文献１に記載の電子カメラでは、無線通信を行っているときに液晶ディスプレイの表示が消えてしまうので、電子カメラが動作しているか不安になるという問題点がある。
【課題を解決するための手段】
【０００４】
（１）請求項１の発明の撮像装置は、被写体を撮像して画像情報を取得する撮像手段と、撮像手段によって取得した画像情報を無線通信で送信する送信手段と、無線通信における電波状態を検出する電波状態検出手段と、表示モニタと、表示モニタに表示される表示画面の輝度を制御する輝度制御手段とを備え、輝度制御手段は、送信手段によって画像情報を送信しているとき、電波状態検出手段によって検出した電波状態に基づいて表示画面の輝度を下げることを特徴とする。
（２）請求項２の発明は、請求項１に記載の撮像装置において、輝度制御手段は、表示画面に表示されている画像が撮影画像である場合、電波状態検出手段によって検出した電波状態に基づいて表示画面の輝度を下げないことを特徴とする。
（３）請求項３の発明は、請求項２に記載の撮像装置において、撮像手段で撮像した画像をリアルタイムで表示モニタに表示するスルー画表示手段と、媒体から読み出した画像情報を再生して表示モニタに表示する再生手段とを備え、撮影画像は、スルー画表示手段によって表示された画像、または再生手段によって表示された画像であることを特徴とする。
（４）請求項４の発明は、請求項３に記載の撮像装置において、撮像装置の設定に係る設定メニューを表示モニタに表示する設定メニュー表示手段を備え、輝度制御手段は、表示画面に表示されている画像が設定メニューの場合、電波状態検出手段によって検出した電波状態に基づいて表示画面の輝度を下げることを特徴とする。
（５）請求項５の発明は、請求項１に記載の撮像装置において、撮像手段で撮像した画像をリアルタイムで表示モニタに表示するスルー画表示手段と、記録媒体から読み出した画像情報を再生して表示モニタに表示する再生手段と、撮像装置の設定に係る設定メニューを表示モニタに表示する設定メニュー表示手段とを備え、輝度制御手段によって制御される表示画面の最低輝度は、表示画面に表示されている画像が設定メニューである場合に比べて、表示画面に表示されている画像がスルー画表示手段によって表示された画像、または再生手段によって表示された画像である場合の方が高いことを特徴とする。
（６）請求項６の発明は、請求項１に記載の撮像装置において、記録媒体から読み出した画像情報を再生して表示モニタに表示する再生手段と、撮像装置の設定に係る設定メニューを表示モニタに表示する設定メニュー表示手段とを備え、輝度制御手段によって制御される表示画面の最低輝度は、表示画面に表示されている画像が設定メニューである場合に比べて、表示画面に表示されている画像が再生手段によって表示された画像である場合の方が高いことを特徴とする。
【発明の効果】
【０００５】
本発明によれば、無線通信を行っているときの電池の消耗を抑えることができるとともに、撮像装置が動作していることを確認することができる。
【発明を実施するための最良の形態】
【０００６】
以下、図を参照して本発明の実施の形態を説明する。本発明の実施形態の撮像装置１は、無線通信機能を有する。図１は本発明の実施形態による撮像装置１を示す図である。図１（ａ）は撮像装置１を斜め前方から見た図であり、図１（ａ）は撮像装置１を斜め後方から見た図である。
【０００７】
図１（ａ）に示すように、撮像装置１の正面には、撮像光学系１１１を構成する撮影レンズ１１１Ａと、撮影レンズ１１１Ａを格納したレンズ鏡胴１１１Ｂとが設けられている。撮像装置１の側面には、無線通信機能で無線電波の送受信を行うアンテナ１０７Ａが設けられている。撮像装置１の上面には、撮影動作を行わせるためのレリーズボタン１０３Ａが設けられている。
【０００８】
図１（ｂ）に示すように、撮像装置１の背面には、液晶モニタ１０４、メニューボタン１０３Ｂ、マルチセレクタ１０３Ｃ、決定（ＯＫ）ボタン１０３Ｄなどが設けられている。
【０００９】
液晶モニタ１０４は、後述する撮像素子１１２により撮像された被写体像を表示したり、メモリカードに記録されている画像を表示したりする。また、撮像装置１の各種設定を行ったり、無線通信機能を動作させたりするためのメニュー画面を表示する。
【００１０】
メニューボタン１０３Ｂは、液晶モニタ１０４に上述のメニュー画面を表示させるためのボタンである。マルチセレクタ１０３Ｃは、液晶モニタ１０４に表示されたメニューの中から所望の項目を選択するためのボタンである。マルチセレクタ１０３Ｃに表示されている三角印を押圧すると、メニューに表示されたカーソルは、押圧された三角印の方向に移動する。決定ボタン１０３Ｄは、メニューの中から選択された項目を確定させるためのボタンである。マルチセレクタ１０３Ｃと決定ボタン１０３Ｄを操作することによって、液晶モニタ１０４に表示されたメニューより撮像装置１の各種設定を行ったり、無線通信機能を動作させたりすることができる。
【００１１】
図２は、撮像装置１の構成を説明するブロック図である。図２において撮像装置１は、制御回路１０１と、メモリ１０２と、操作部１０３と、液晶モニタ１０４と、外部インターフェイス（Ｉ／Ｆ）回路１０５と、メモリカードインターフェイス（Ｉ／Ｆ）１０６と、無線装置１０７と、撮像部１１０と、電源部１２０とを備え、メモリカードインターフェイス（Ｉ／Ｆ）１０６には着脱可能なメモリカード１５０が実装される。
【００１２】
制御回路１０１は、制御プログラムに基づいて、撮像装置内各部から入力される信号を用いて所定の演算を行うなどして、撮像装置内各部に対する制御信号を送出することにより、撮像装置１の撮影動作および投影動作をそれぞれ制御する。なお、制御プログラムは制御回路１０１内の不図示のＲＯＭに格納される。
【００１３】
メモリ１０２は、制御回路１０１の作業用メモリとして使用される。操作部１０３はレリーズボタン１０３Ａなどを含み、操作されたボタンに対応する操作信号を制御回路１０１へ送出する。メモリカード１５０は、制御回路１０１の指示によりデータの書き込み、保存および読み出しが可能である。
【００１４】
液晶モニタ１０４は、制御回路１０１からの指示により画像やテキストなどの情報を表示する。液晶モニタ１０４における液晶の背面にはバックライトが設けられている。バックライトの光が液晶に照射され、液晶モニタ１０４は画像を明るく表示することができる。液晶モニタ１０４に表示される画像の輝度は、バックライトに供給する電流を調整することによって制御することができる。
【００１５】
外部インターフェイス回路１０５は、制御回路１０１からの指示により不図示のケーブルを介して外部機器（パーソナルコンピュータ、プリンタなど）との間でコマンドおよびデータを送受信する。
【００１６】
無線装置１０７は、通信回路およびアンテナ１０７Ａを含み、無線通信によって外部機器との間でデータの送受信を行う。無線通信の規格は、たとえば、IEEE802.11/11b/11a/11gなどの無線ＬＡＮやBluetooth（登録商標）などが広く知られているが、その種類を問わない。また、無線装置１０７は、外部機器から送信される信号の電波強度を検出する。制御回路１０１は、無線装置１０７が検出した電波強度に基づいて、電波状態を検出する。
【００１７】
撮像部１１０は、撮像光学系１１１、撮像素子１１２および撮像制御回路１１３を有し、制御回路１０１からの指示に応じて被写体の撮像を行う。撮像光学系１１１は、撮像素子１１２の撮像面上に被写体像を結像させる。撮像素子１１２としては、ＣＣＤやＣＭＯＳ撮像素子などが用いられる。撮像制御回路１１３は、制御回路１０１からの指示により撮像素子１１２を駆動制御するとともに、撮像素子１１２から出力される画像信号に対して所定の信号処理を行う。信号処理後の画像のデータは、所定形式の画像ファイルとしてメモリカード１５０に記録される。
【００１８】
電源部１２０は、バッテリ１２１および電源回路１２２を含む。バッテリ１２１は充電式電池、着脱可能な電池パックや乾電池などによって構成される。電源回路１２２は、バッテリ３２１から供給される電圧を所定電圧に変換する。
【００１９】
次に、本発明の実施形態における無線通信時の省電力処理について、図３〜図５を参照して説明する。例として、撮像装置１から不図示のパーソナルコンピュータに対して画像データを転送する場合について説明する。転送する画像データは、撮影日より選択するものとして説明する。
【００２０】
メニューボタン１０３Ｂを押圧して、不図示の設定メニューを表示させた後、マルチセレクタ１０３Ｃと決定ボタン１０３Ｄを操作して、図３（ａ）に示すワイヤレスメニュー３０Ａを液晶モニタ１０４に表示させる。ワイヤレスメニュー３０Ａとは、無線通信を利用した画像転送に関するメニューである。ワイヤレスメニュー３０Ａから、転送画像の選択方法を選択することができる。撮影日から転送する画像データを選択する場合、図３（ａ）に示すように、選択方法候補の中から「撮影日転送」にカーソル３１Ａを移動させ、決定ボタン１０３Ｄを押圧する。その結果、図３（ｂ）に示すように、撮影日転送画面３０Ｂが液晶モニタ１０４に表示される。
【００２１】
撮影日転送画面３０Ｂは、撮影日から転送する画像を選択する画面である。撮影日転送画面３０Ｂに表示された撮影日の中から所望の撮影日にカーソル３１Ｂを移動する。そして、決定ボタン１０３Ｄを押圧すると、転送する画像の撮影日が確定し、図３（ｃ）に示すように、転送する画像の撮影日には転送マーク３２Ｂが表示される。
【００２２】
選択された画像の画像データの転送が開始されると、液晶モニタ１０４には、図４に示す転送中画面４０が表示される。転送中画面４０には、転送する画像データ数と転送が完了した画像データ数とを表示して、画像データの転送の進捗状況を表示する。また、電波状態マーク４１Ａ〜４１Ｃとして電波状態を転送中画面４０に表示する。上述したように、電波状態は無線装置１０７が検出した電波強度に基づいて検出される。
【００２３】
電波強度が所定の第１の閾値より大きく、電波状態が良好の場合、図４（ａ）に示すように、３本のバーを有する電波状態マーク４１Ａが表示される。電波強度が第１の閾値以下で所定の第２の閾値より大きく、電波状態が多少悪い場合、図４（ｂ）に示すように、２本のバーを有する電波状態マーク４１Ｂが表示される。電波強度が第２の閾値以下で所定の第３の閾値より大きく、電波状態が悪い場合、図４（ｃ）に示すように、１本のバーを有する電波状態マーク４１Ｃが表示される。電波強度が第３の閾値以下で、電波状態が非常に悪い場合、バーを有さない電波状態マークが表示される。この場合、画像データを転送することができないので、不図示の画像データ転送不可画面が表示される。
【００２４】
本発明の実施形態では、電波状態によって、転送中画面４０の輝度も変更する。転送中画面４０の輝度は、液晶モニタ１０４のバックライトの光量で調整する。
【００２５】
電波強度が第１の閾値より大きく、電波状態が良好の場合、図４（ａ）に示すように、通常の輝度で転送中画面４０が表示される。電波強度が第１の閾値以下で第２の閾値より大きく、電波状態が多少悪い場合、図４（ｂ）に示すように、電波状態が良好の場合に比べて低い輝度で転送中画面４０が表示される。電波強度が第２の閾値以下で第３の閾値より大きく、電波状態が悪い場合、図４（ｃ）に示すように、電波状態が多少悪い場合に比べて低い輝度で転送中画面４０が表示される。
【００２６】
画像の転送が完了すると、図５に示すように、転送完了画面５０が液晶モニタ１０４に通常の輝度で表示される。
【００２７】
次に、本発明の実施形態における無線通信時の省電力処理について、図６のフローチャートを参照して説明する。図６の処理は、転送する画像データが確定するとスタートするプログラムにより制御回路１０１において実行される。
【００２８】
ステップＳ６０１では、無線装置１０７より画像データを転送しているか否かの判定を行う。画像データを転送している場合はステップＳ６０１が肯定判定され、ステップＳ６０２へ進む。画像データを転送していない場合はステップＳ６０１が否定判定され、ステップＳ６０４へ進む。
【００２９】
ステップＳ６０２では、無線装置１０７を用いて、外部機器の電波の電界強度を検出する。ここで、検出した電界強度をＫ（Ｖ／ｍ）とする。ステップＳ６０３では、検出した電界強度（Ｋ）が第１の閾値（Ｋ１）より大きいか否かを判定する。検出した電界強度（Ｋ）が第１の閾値（Ｋ１）より大きい場合はステップＳ６０３が肯定判定され、ステップＳ６０４へ進む。検出した電界強度（Ｋ）が第１の閾値（Ｋ１）以下の場合はステップＳ６０３が否定判定され、ステップＳ６０５へ進む。ステップＳ６０４では、液晶モニタ１０４のバックライトに供給する電流を調整して、液晶モニタ１０４の輝度を、通常の輝度である中程度にする。
【００３０】
ステップＳ６０５では、検出した電界強度（Ｋ）が、第１の閾値（Ｋ１）以下で第２の閾値（Ｋ２）より大きいか否かを判定する。検出した電界強度（Ｋ）が、第１の閾値（Ｋ１）以下で、第２の閾値（Ｋ２）より大きい場合はステップＳ６０５が肯定判定され、ステップＳ６０６へ進む。検出した電界強度（Ｋ）が第２の閾値（Ｋ２）以下の場合はステップＳ６０５が否定判定され、ステップＳ６０７へ進む。ステップＳ６０５では、液晶モニタ１０４のバックライトに供給する電流を調整して、液晶モニタ１０４の輝度を、通常の輝度より低い輝度である低程度にする。
【００３１】
ステップＳ６０７では、検出した電界強度（Ｋ）が、第２の閾値（Ｋ２）以下で第３の閾値（Ｋ３）より大きいか否かを判定する。検出した電界強度（Ｋ）が、第２の閾値（Ｋ２）以下で、第３の閾値（Ｋ３）より大きい場合はステップＳ６０７が肯定判定され、ステップＳ６０８へ進む。検出した電界強度（Ｋ）が第３の閾値（Ｋ３）以下の場合はステップＳ６０７が否定判定され、ステップＳ６０４へ進む。これは、電波強度が弱く、画像転送ができないため、不図示の画像データ転送不可画面を表示させるためである。ステップＳ６０８では、液晶モニタ１０４のバックライトに供給する電流を調整して、液晶モニタ１０４の輝度を、低程度の輝度よりさらに低い輝度である極低程度にする。
【００３２】
以上説明した第１の実施形態によれば、次の作用効果が得られる。
無線通信を行っているとき、電波状態に応じて液晶モニタ１０４の輝度を変えるようにした。したがって、無線通信を行っているときのバッテリ３２１の消耗を抑えることができるとともに、撮像装置１が動作していることを確認することができる。さらに、バッテリ３２１の消耗を抑えながらデータの送信を確認することができる。
【００３３】
電波状態が悪いとき、データの送受信に時間がかかる。このため、無線装置１０７が通信機能を動作させている時間が長くなる。また、転送中画面４０を液晶モニタ１０４に表示する時間も長くなる。したがって、電波状態が悪くなると、バッテリ１２１の消耗が早くなる。しかし、本発明の実施形態では、電波状態が悪くなると、それに応じて液晶モニタ１０４の輝度を変えるので、バッテリ１２１の消耗を抑制することができる。しかも、液晶モニタ１０４は表示されているので、撮像装置１が動作していること、あるいはデータの送受信が正常に行われていることを確認することができる。また、ユーザは、液晶モニタ１０４の輝度より電波状態を認識できるので、電波状態マーク４１Ａ〜４１Ｃを見なくとも電波状態を認識でき、便利である。
【００３４】
以上の実施の形態を次のように変形することができる。
−他の実施の形態１−
電波状態に応じて、撮像装置１が液晶モニタ１０４の輝度を変更する表示画面は、データ送信中またはデータ受信中を表示する表示画面であれば実施形態に限定されない。たとえば、図７に示すように、メニュー画面７０でもよい。この場合、無線通信機能によるデータ通信をメニュー画面７０から設定し、データ送受信中もメニュー画面７０が表示される。メニュー画面７０には、電波状態マーク７１Ａ〜７１Ｃが表示される。
【００３５】
電波強度が第１の閾値より大きく、電波状態が良好の場合、図７（ａ）に示すように、通常の輝度でメニュー画面７０が表示される。電波強度が第１の閾値以下で第２の閾値より大きく、電波状態が多少悪い場合、図７（ｂ）に示すように、電波状態が良好の場合に比べて低い輝度でメニュー画面７０が表示される。電波強度が第２の閾値以下で第３の閾値より大きく、電波状態が悪い場合、図７（ｃ）に示すように、電波状態が多少悪い場合に比べて低い輝度でメニュー画面７０が表示される。
【００３６】
また、液晶モニタ１０４に画像を表示させて転送する撮影画像を選択し、図８に示すように、画像転送中も選択した撮影画像の表示画面８０（以下、撮影画像画面と呼ぶ）が表示される場合、電波状態に応じて撮影画像画面８０の輝度を変更するようにしてもよい。撮影画像画面８０には、画像転送中であることを示す画像転送マーク８１が表示される。
【００３７】
電波強度が第１の閾値より大きく、電波状態が良好の場合、図８（ａ）に示すように、通常の輝度で撮影画像画面８０が表示される。電波強度が第１の閾値以下で第２の閾値より大きく、電波状態が多少悪い場合、図８（ｂ）に示すように、電波状態が良好の場合に比べて低い輝度で撮影画像画面８０が表示される。電波強度が第２の閾値以下で第３の閾値より大きく、電波状態が悪い場合、図８（ｃ）に示すように、電波状態が多少悪い場合に比べて低い輝度で撮影画像画面８０が表示される。
【００３８】
−他の実施の形態２−
画像転送中に表示されている表示画面によって、電波状態に応じて液晶モニタ１０４の輝度を変更するか否かを決めるようにしてもよい。たとえば、転送中画面４０およびメニュー画面７０が表示されているときは、電波状態に応じて液晶モニタ１０４の輝度を変更する。また、撮影画像画面８０が表示されているときは、液晶モニタ１０４の輝度を変更しないようにしてもよい。転送中画面４０およびメニュー画面７０の場合、画像が単純であるので、液晶モニタ１０４の輝度が低くても表示内容を認識できる。撮影画像画面８０の場合、液晶モニタ１０４の輝度が低いと、被写体に焦点が合っているかなどといった撮影画像の確認ができない場合があるからである。これにより、表示画面の視認性を確保しながら、バッテリ１２１の消耗を抑制することができる。
【００３９】
−他の実施の形態３−
画像転送中に表示されている表示画面によって、電波状態に応じて液晶モニタ１０４の輝度を変更する範囲を変更するようにしてもよい。たとえば、転送中画面４０およびメニュー画面７０が表示されているときは、電波状態に応じて液晶モニタ１０４の輝度を２０〜１００％の間で変更する。ここで１００％の輝度は、液晶モニタ１０４の最大輝度である。一方、撮影画像画面８０が表示されているときは、液晶モニタ１０４の輝度を５０％〜１００％の間で変更するようにしてもよい。転送中画面４０およびメニュー画面７０の場合、画像が単純であるので、液晶モニタ１０４の輝度がかなり低くても（輝度２０％でも）表示内容を認識できる。一方、撮影画像画面８０の場合、液晶モニタ１０４の輝度が低いと表示内容を確認ができない場合があるので、最低の輝度を５０％にする。これにより、表示画面の視認性を確保しながら、バッテリ１２１の消耗を抑制することができる。
【００４０】
−他の実施の形態４−
発明の実施形態では、液晶モニタ１０４の輝度を３段階で変更したが、輝度の変更の段数は実施形態に限定されない。たとえば、液晶モニタ１０４の輝度を５段階で変更するようにしてもよい。また、画像転送中に表示されている表示画面によって、電波状態に応じて液晶モニタ１０４の輝度を変更する段数を変更するようにしてもよい。たとえば、５段階に輝度を変更できる液晶モニタの場合、転送中画面４０およびメニュー画面７０が表示されているときは、電波状態に応じて液晶モニタ１０４の輝度を５段階に変更する。一方、撮影画像画面８０が表示されているときは、液晶モニタ１０４の輝度を、明るい側の３段階に変更するようにしてもよい。転送中画面４０およびメニュー画面７０の場合、画像が単純であるので、液晶モニタ１０４の輝度が５段階に変更しても表示内容を認識できる。一方、撮影画像画面８０の場合、液晶モニタ１０４の輝度が低い段階であると表示内容を認識ができない場合があるからである。これにより、表示画面の視認性を確保しながら、バッテリ１２１の消耗を抑制することができる。
【００４１】
−他の実施の形態５−
データ送受信中も撮影およびメモリカード１５０に記憶した画像データを再生できる場合、データ送受信中も液晶モニタ１０４にスルー画や再生画像を表示することがある。ここで、スルー画は、撮影指示前に撮像素子１２２で逐次撮像され、液晶モニタ１０４に再生表示される画像である。つまり、画像素子１２２で撮像された画像をリアルタイムで液晶モニタ１０４に表示する画像である。スルー画や再生画像が液晶モニタ１０４表示されている場合、電波状態に応じて液晶モニタ１０４の輝度を変更しないようにしてもよい。液晶モニタ１０４の輝度が低いと、被写体に焦点が合っているかなどといった撮影画像の確認ができない場合があるからである。
【００４２】
また、液晶モニタ１０４に表示されている表示画面がメニュー画面７０の場合と、スルー画が表示された画面または再生画像が表示された画面の場合とによって、電波状態に応じて液晶モニタ１０４の輝度を変更する範囲を変更するようにしてもよい。たとえば、メニュー画面７０が表示されているときは、電波状態に応じて液晶モニタ１０４の輝度を２０〜１００％の間で変更する。一方、スルー画または再生画像が表示されているときは、液晶モニタ１０４の輝度を５０％〜１００％の間で変更するようにしてもよい。メニュー画面７０の場合、画像が単純であるので、液晶モニタ１０４の輝度がかなり低くても（輝度２０％でも）表示内容を認識できる。一方、スルー画または再生画像の場合、液晶モニタ１０４の輝度が低いと表示内容を確認ができない場合があるので、最低の輝度を５０％にする。これにより、表示画面の視認性を確保しながら、バッテリ１２１の消耗を抑制することができる。
【００４３】
−他の実施の形態６−
電波状態の変動が激しいとき、液晶モニタ１０４の輝度が頻繁に変わり、ユーザにとって液晶モニタ１０４の表示が目障りになる。そこで、所定時間ごと（たとえば３秒ごと）に検出した電波状態に応じて、所定時間ごと（たとえば、３秒ごと）に液晶モニタ１０４の輝度を変更するようにしてもよい。また、所定時間（たとえば、６秒間）の電波強度の平均値に応じて、液晶モニタ１０４の輝度を変更するようにしてもよい。
【００４４】
−他の実施の形態７−
液晶モニタ１０４の輝度を変化させる場合、液晶モニタ１０４の輝度を所定の輝度まで徐々に変更するようにしてもよい。たとえば、液晶モニタ１０４に輝度を３段階に変更できる場合、輝度を１段階から２段階まで急に下げるのではなく、液晶モニタ１０４のバックライトに供給する電流を徐々に下げて、輝度を１段階から２段階まで徐々に下げる。液晶モニタ１０４の輝度を徐々に変更することにより、ユーザは液晶モニタ１０４の変更された輝度に慣れることができ、液晶モニタ１０４の輝度の変化に対するユーザの違和感を緩和することができる。
【００４５】
−他の実施の形態８−
撮像装置の外部に設けられ、供給電流を変化することによって輝度を変更することができる表示モニタであれば、液晶モニタに限定されない。たとえば、有機ＥＬモニタでもよい。この場合、有機ＥＬ素子に供給する電流を小さくすることによって有機ＥＬモニタの輝度を下げ、有機ＥＬ素子に供給する電流を大きくすることによって有機ＥＬモニタの輝度を上げる。
【００４６】
−他の実施の形態９−
無線通信を行っていないときも、電波状態に応じて液晶モニタ１０４の輝度を変更するようにしてもよい。電波状態が悪いとき、無線通信に時間がかかり無線通信で消費する電力も大きくなる。したがって、無線通信を行っていないときも電波状態が悪いときは液晶モニタ１０４の輝度を小さくしてバッテリ１２１を節約し、電波状態が悪いときの無線通信よるバッテリ１２１の消耗に備えることができる。また、この場合も転送中画面４０およびメニュー画面７０が表示されているときは、電波状態に応じて液晶モニタ１０４の輝度を変更し、撮影画像画面８０が表示されているときは、液晶モニタ１０４の輝度を変更しないようにしてもよい。
【００４７】
−他の実施の形態１０−
バッテリ１２１の残量によって、電波状態に応じて液晶モニタ１０４の輝度を変更するようにしてもよい。バッテリ１２１の残量は、バッテリ１２１の電池電圧より検出する。バッテリ１２１の残量が多い場合は、バッテリ１２１に余力があるので、電波状態が悪くても液晶モニタ１０４の輝度を小さくしない。一方、バッテリ１２１の残量が少ない場合は、バッテリ１２１に余力がないので、電波状態が悪いとき液晶モニタ１０４の輝度を小さくする。これにより、バッテリ１２１の残量が多く、バッテリ１２１の消耗を抑える必要がないときまで、液晶モニタ１０４の輝度を小さくし、液晶モニタ１０４の表示を見づらくするのを防止することができる。
【００４８】
−他の実施の形態１１−
以上の実施形態では、無線装置１０７が内蔵されている撮像装置１について説明した。しかし、無線装置を外付けで取付けられる撮像装置についても適用できる。この場合、撮像装置は、外付けで取付けた無線装置から電波状態の情報を取得する。そして、撮像装置は、取得した電波状態の情報に基づいて、液晶モニタの輝度を制御する。
【００４９】
以上の説明はあくまで一例であり、本発明は上記実施形態の構成に何ら限定されるものではない。
【図面の簡単な説明】
【００５０】
【図１】本発明の一実施の形態による撮像装置の外観図である。
【図２】本発明の一実施の形態による撮像装置の構成を説明するブロック図である。
【図３】無線通信による画像データの転送操作を説明するための図である。
【図４】画像データ転送中の表示画面を説明するための図である。
【図５】画像データ転送完了後の表示画面を説明するための図である。
【図６】本発明の実施形態における無線通信時の省電力処理を説明するためのフローチャートである。
【図７】画像データ転送中のメニュー画面を説明するための図である。
【図８】画像データ転送中の撮影画増画面を説明するための図である。
【符号の説明】
【００５１】
１  撮像装置
１０１  制御回路
１０３Ｂ  メニューボタン
１０３Ｃ  マルチセレクタ
１０３Ｄ  決定ボタン
１０４  液晶モニタ
１０７  無線装置
１０７Ａ  アンテナ
【図１】
2009049603.tif 000003
【図２】
2009049603.tif 000004
【図３】
2009049603.tif 000005
【図４】
2009049603.tif 000006
【図５】
2009049603.tif 000007
【図６】
2009049603.tif 000008
【図７】
2009049603.tif 000009
【図８】
2009049603.tif 000010